(57)【要約】【課題】燐光に由来する青色の有機ＥＬ素子を利用したときに、青色の輝度劣化を低減する有機ＥＬディスプレイを提供する。【解決手段】Ｒ色（赤）、Ｇ色（緑）、Ｂ色（青）の３種類の有機ＥＬ素子を形成してカラー化する有機ＥＬディスプレイにおいて、前記Ｂ色（赤）の有機ＥＬ素子は燐光に由来する発光であって、前記Ｒ色（赤）、Ｇ色（緑）、Ｂ色（青）の３種類の有機ＥＬ素子の単位面積当たりの駆動電流を同じとすることを特徴とする有機ＥＬディスプレイ。【選択図】        図２
2004265755.tif 000002
【特許請求の範囲】
【請求項１】
Ｒ色（赤）、Ｇ色（緑）およびＢ色（青）の３種類の有機ＥＬ素子を形成してカラー化する有機ＥＬディスプレイにおいて、
前記Ｂ色（青）の有機ＥＬ素子は燐光に由来する発光であって、前記Ｒ色（赤）、前記Ｇ色（緑）および前記Ｂ色（青）の３種類の有機ＥＬ素子における単位面積当たりの駆動電流を同一とすることを特徴とする有機ＥＬディスプレイ。
【請求項２】
前記駆動電流において、前記Ｂ色（青）の有機ＥＬ素子の輝度が最も低いことを特徴とする請求項１に記載の有機ＥＬディスプレイ。
【請求項３】
Ｒ色（赤）、Ｇ色（緑）およびＢ色（青）の３種類の有機ＥＬ素子を形成してカラー化する有機ＥＬディスプレイにおいて、
前記Ｂ色（青）の有機ＥＬ素子は燐光に由来する発光であって、前記Ｂ色（青）の有機ＥＬ素子における外部取出量子効率が最大となる単位面積当たりの駆動電流の±２０％範囲の駆動電流によって、前記Ｒ色（赤）、前記Ｇ色（緑）および前記Ｂ色（青）の３種類の有機ＥＬ素子の駆動を行うことを特徴とする有機ＥＬディスプレイ。
【請求項４】
前記Ｒ色（赤）、前記Ｇ色（緑）および前記Ｂ色（青）の３種類の有機ＥＬ素子は、各色の発光輝度に基づいて画像情報の階調補正が行なわれることを特徴とする請求項１、２または３に記載の有機ＥＬディスプレイ。
【請求項５】
前記Ｒ色（赤）、前記Ｇ色（緑）および前記Ｂ色（青）の３種類の有機ＥＬ素子は、各色の発光輝度に基づいて発光面積が異なることを特徴とする請求項１、２または３に記載の有機ＥＬディスプレイ。
【請求項６】
前記駆動電流は、所定間隔のパルス電流であることを特徴とする請求項１から５のいずれか１項に記載の有機ＥＬディスプレイ。
【発明の詳細な説明】
【０００１】
【発明の属する技術分野】
本発明は有機ＥＬディスプレイに関し、さらに詳しくは、Ｒ色（赤）、Ｇ色（緑）およびＢ色（青）の３種類の有機ＥＬ素子を形成してカラー化する有機ＥＬディスプレイに関するものである。
【０００２】
【従来の技術】
有機ＥＬディスプレイにおけるカラー化する手段として、白色の有機ＥＬ素子とカラーフィルタを組み合わせて分光する方法、青色の有機ＥＬ素子と色変換層を組み合わせて分光する方法、およびＲ色（赤）、Ｇ色（緑）、Ｂ色（青）の３色独立の発光層をパラレルに形成する方法等が知られている。
【０００３】
前述の３色独立の発光層をパラレルに形成する方法においては、高精度な塗り分け技術が必要ではあるが、３原色を直接外部に取り出すことができるので色純度や発光効率を低下させないという長所を有している。
【０００４】
ここで、３色独立の発光層をパラレルに形成する方法における有機ＥＬディスプレイにつて図面を参照して説明する。図９は３色独立の発光層をパラレルに形成する方法における有機ＥＬディスプレイの模式図である。図９に示すように、有機ＥＬディスプレイは、データ処理部７１、シフトレジスタ７２、ラッチ７３、データ駆動回路７４、定電流回路７５、走査駆動回路７６、表示部７７、複数のＲ色（赤）、Ｂ色（青）、Ｇ色（緑）各色の有機ＥＬ素子３１等を有している。先ず、データ処理部７１はデータ信号を作成し、シフトレジスタ７２は走査線Ｌの１ライン分のデータを込み、ラッチ７３は所定のタイミングで駆動回路にデータを送るようになっている。定電流回路７５は、Ｒ色（赤）、Ｂ色（青）およびＧ色（緑）のそれぞれに駆動電流を各色の有機ＥＬ素子３１に供給する。
【０００５】
有機ＥＬディスプレイは、ガラス等の透明基板上にストライプ状に形成したデータ線Ｋと、データ線Ｋに対して直交する方向に形成したストライプ状の走査線Ｌが配置されている。データ線Ｋと走査線Ｌが交差する位置に有機ＥＬ素子３１を形成して、例えば、有機ＥＬ素子３１の陰極に走査線Ｌ、有機ＥＬ素子３１の陽極にデータ線Ｋを接続している。有機ＥＬ素子３１は、Ｒ色（赤）、Ｂ色（青）およびＧ色（緑）の３色独立に各色の輝度バランスを考慮して配置されている。１つの走査線Ｌが選択されたとき、走査線Ｌに接続する有機ＥＬ素子３１は、データ線Ｋからの信号に基づいて発光する。走査線ＬをＬ１、Ｌ２、・・・Ｌｎの順に順次走査を行うことによりＲ色（赤）、Ｂ色（青）およびＧ色（緑）の各色の有機ＥＬ素子を発光させて得るカラーの画面表示が可能となっている。
【０００６】
なお、この有機ＥＬディスプレイでは、定電流回路７５において、Ｂ色（青）、Ｒ色（赤）またはＧ色（緑）の各有機ＥＬ素子に、発光輝度に応じてそれぞれ異なる駆動電流ＩＢ、ＩＲ、およびＩＧをそれぞれ供給している。
【０００７】
有機ＥＬディスプレイは、データ線Ｋ、走査線Ｌをそのまま有機ＥＬ素子３１の電極として、交差した部分を発光領域とするパッシブマトリクス型、あるいは各有機ＥＬ素子３１にスイッチングトランジスタを配置し、走査線Ｌが選択されていないときも発光する構成のアクティブ型のどちらの駆動方法でもよい。
【０００８】
ここで、有機エレクトロルミネッセンス（以下、有機ＥＬ素子、またはＥＬ素子ともいう）について説明する。有機ＥＬ素子は、陰極から注入された電子と、陽極から注入されたホールが発光層において再結合により生じた励起エネルギーを発光に利用するものであるが、発光層として一重項励起エネルギーを発光（蛍光に由来する発光）に利用するシングレット化合物と、三重項励起エネルギーを発光（燐光に由来する発光）に利用するトリプレット化合物があげられる。
【０００９】
ここで、蛍光を利用したＲ色（赤）、Ｂ色（青）およびＧ色（緑）の有機ＥＬ素子における電流と外部取出量子効率の関係について説明する。図１０はＲ色（赤）、Ｂ色（青）およびＧ色（緑）の有機ＥＬ素子における電流Ｉと外部取出量子効率ｅの関係を示す模式図である。外部取出量子効率ｅとは、有機ＥＬ素子に流れる電子または正孔１個当たりのフォトンが何個、有機ＥＬ素子から放出されるかで定義される。図１０に示すように、Ｂ色（青）の外部取出量子効率ｅは他のＲ色（赤）、Ｇ色（緑）に比べ低くなっている。
【００１０】
有機ＥＬ素子は、一重項励起エネルギーを利用するものより、三重項励起エネルギーを利用した方が、光の外部取出効率を飛躍的に高めることが可能となる。そのため、他の色に比べ発光輝度が低いＢ色（青）の有機ＥＬ素子にトリプレト化合物を利用する有機ＥＬディスプレイが開発されている。三重項励起エネルギーを利用したＢ色（青）のトリプレト化合物の例が特開２００２−１００４７６号公報（特許文献１）に開示されている。
【００１１】
【特許文献１】
特開２００２−１００４７６号公報
【００１２】
【発明が解決しようとする課題】
しかしながら、三重項励起エネルギーを利用したトリプレット化合物によるＢ色（青）の有機ＥＬ素子の発光は、光の外部取出効率を高めて輝度を向上させることはできるが、特に、Ｂ色（青）は三重項励起エネルギーが大きいため、輝度減衰が大きい。従って、Ｂ色（青）の有機ＥＬ素子にトリプレット化合物を利用した有機ＥＬディスプレイでは、Ｂ色（青）の輝度減衰により画質劣化が起きやすいという問題がある。
【００１３】
本発明は上記の課題に鑑みなされたもので、本発明の目的は、燐光に由来するＢ色（青）の有機ＥＬ素子を利用したときに、Ｂ色（青）の輝度劣化を低減できる有機ＥＬディスプレイを提供することにある。
【００１４】
【課題を解決するための手段】
上記の発明の目的は下記のいずれかの手段により達成される。
【００１５】
（１）Ｒ色（赤）、Ｇ色（緑）およびＢ色（青）の３種類の有機ＥＬ素子を形成してカラー化する有機ＥＬディスプレイにおいて、前記Ｂ色（青）の有機ＥＬ素子は燐光に由来する発光であって、前記Ｒ色（赤）、前記Ｇ色（緑）および前記Ｂ色（青）の３種類の有機ＥＬ素子における単位面積当たりの駆動電流を同一とすることを特徴とする有機ＥＬディスプレイ。
【００１６】
（２）Ｒ色（赤）、Ｇ色（緑）およびＢ色（青）の３種類の有機ＥＬ素子を形成してカラー化する有機ＥＬディスプレイにおいて、前記Ｂ色（青）の有機ＥＬ素子は燐光に由来する発光であって、前記Ｂ色（青）の有機ＥＬ素子における外部取出量子効率が最大となる単位面積当たりの駆動電流の±２０％範囲の駆動電流によって、前記Ｒ色（赤）、前記Ｇ色（緑）および前記Ｂ色（青）の３種類の有機ＥＬ素子の駆動を行うことを特徴とする有機ＥＬディスプレイ。
【００１７】
【発明の実施の形態】
本発明に係わる実施の形態の有機ＥＬディスプレイについて、図面を参照して説明する。
【００１８】
（実施の形態１）
図１は、実施の形態の有機ＥＬディスプレイを備えた携帯電話の斜視図である。携帯電話Ａは有機ＥＬディスプレイ１０、操作部２０、表示部３０、有機ＥＬ素子や各部に電流を供給する図示しない電源、図示しない電話通信機能を備えた通信部、装置全体の制御を行うＣＰＵ等を有している。本発明の有機ＥＬディスプレイは、携帯電話に限らず、ラップトップコンピュータ、テレビ、デジタルカメラ、カーナビ等の画像情報を視覚的に表示する装置である。
【００１９】
次に、有機ＥＬディスプレイについて説明する。図２は有機ＥＬディスプレイの画像を表示する表示部のブロック図である。有機ＥＬディスプレイは、メモリ４２、補正手段４１、データ処理部４３、シフトレジスタ４４、ラッチ４５、データ駆動回路４６、定電流回路４７、走査駆動回路４８、表示部３０、複数のＲ色（赤）、Ｂ色（青）、Ｇ色（緑）各色の有機ＥＬ素子３１等を有している。
【００２０】
補正手段４１は、Ｒ色（赤）、Ｂ色（青）、Ｇ色（緑）の有機ＥＬ素子の共通の所定電流での発光輝度に基づいて、ＣＰＵから送られた各色のデジタルデータを補正する。補正後はデータ処理部４３に送られる。なお、補正の詳しい方法については後述する。
【００２１】
データ処理部４３は、後述する時分割の階調表現に対応したデータ信号を作成する。シフトレジスタ４４は、走査線Ｌの１ライン分のデータを込み、ラッチ４５は所定のタイミングで駆動回路にデータを送るようになっている。
【００２２】
定電流回路４７は、Ｒ色（赤）、Ｂ色（青）およびＧ色（緑）共通の所定の駆動電流Ｉを各色の有機ＥＬ素子３１に供給する。
【００２３】
表示部３０は、有機ＥＬ素子３１と走査線Ｌ（Ｌ１〜Ｌｎ）とデータ線Ｋ（Ｋ１〜Ｋｎ）の配線部を有し、走査線Ｌとデータ線Ｋのそれぞれが直交するようにマトリクス状に配線され電流を有機ＥＬ素子３１へ供給する。この表示部３０は保持機構を持つアクティブマトリクスである。有機ＥＬ素子３１は、走査線Ｌとデータ線Ｋが直交する付近に配置され、図示しない陽極がデータ線Ｋ１〜Ｋｎのいずれか１つに接続され、図示しない陰極が走査線Ｌ１〜Ｌｎのいずれか１つに接続されている。順次走査により走査線Ｌ１〜Ｌｎのうち、１つの走査線が順番に選択される。一方、データ処理部４３に送られたデジタルデータは、シフトレジスタ４４、ラッチ４５を経由して、選択した走査線Ｌに接続された有機ＥＬ素子３１にデータ線から送られる。
【００２４】
ここで、前述の有機ＥＬ素子３１についてさらに説明する。図３は有機ＥＬ素子の模式図である。図３に示すように、有機ＥＬ素子３１は、透明基板３５上に、透明電極３２、有機層３３、反射電極３４が積層されたものである。透明基板３５は、有機ＥＬ素子を積層する透明性の基板である。透明電極３２は、インジウムチンオキサイド（ＩＴＯ）、インジウムジンクオキサイド（ＩＺＯ）、金、酸化スズ、酸化亜鉛等の導電材料からなり、仕事関数が４ｅＶ以上で透過率が６０％以上の導電材料が望ましい。また、有機層３３は、発光する発光層を含む数ｎｍから数μｍの有機化合物または錯体の単層または複数層で形成され、フッ化リチウム層や無機金属塩の層、または、それらを含有する層などが任意の位置に配置されていてもよい。反射電極３４は、アルミニウム、ナトリウム、リチウム、マグネシウム、銀、カルシウム等の金属材料からなり、仕事関数が４ｅＶ未満で、反射率が５０％以上の金属材料が好ましい。
【００２５】
有機ＥＬ素子３１は、透明電極３２（陽極）、反射電極３４（陰極）に電源３６を接続して供給された電流により、有機層３３の少なくとも１層以上の発光層において電子および正孔が結合し、蛍光または燐光に由来して発光する素子である。
【００２６】
複数の有機ＥＬ素子のうち、Ｂ色は燐光に由来する発光の有機ＥＬ素子である。有機ＥＬ素子３１の発光は、発光層から透明電極３２、透明基板３５を透過して面状に射出する。あるいは、透明電極３２と反射電極３４の位置を入れ替えて、反射電極３４を透過して面上に発光するトップエミッション構造にしてもよい。
【００２７】
また、有機化合物は、水分や大気中の酸素による劣化が激しいため、窒素等の不活性ガスの雰囲気下において、透明基板３５上で金属管やガラス管等により有機層３３を遮蔽して封止するのが一般的であるが、本発明の詳細な説明においては、有機ＥＬ素子３１の封止図面や説明は省略している。
【００２８】
次に、有機ＥＬ素子の駆動方法について説明する。図４は図２における回路を示す図である。５２はスイッチング用ＴＦＴであり、ゲート信号を入力する走査線Ｌとビデオ信号を入力するデータ線Ｋに接続されている。また、５３は電流制御用ＴＦＴであり、そのゲートはスイッチング用ＴＦＴ５２のドレインに接続される。そして、電流制御用ＴＦＴ５３のドレインは有機ＥＬ素子３１に接続され、ソースは電流供給線５４に接続される。有機ＥＬ素子３１は電流制御用ＴＦＴ５３に接続された陽極（画素電極）と、ＥＬ層を挟んで陽極に対向して設けられた陰極（対向電極）とからなり、陰極は所定の電源３６に接続されている。
【００２９】
順次走査により走査線Ｌが選択されるとスイッチング用ＴＦＴ５２のゲートが開き、信号線Ｋのデジタルデータ信号がコンデンサ５１に蓄積されて、電流制御用ＴＦＴ５３のゲートが開き、有機ＥＬ素子３１に定電流回路からの定電流Ｉが流れ込み、有機ＥＬ素子が発光する。走査線Ｌの選択が終了した後も、コンデンサ５１の電荷によって、電流制御用ＴＦＴ５３のゲートが開いたままとなり、有機ＥＬ素子３１に電流Ｉが流れて発光が継続する。スイッチ部４９は、後述する表示区間において、ＯＮとなり、有機ＥＬ素子に定電流回路からの一定電流Ｉを供給するようになっている。そして、書込区間においてはＯＦＦとなり有機ＥＬ素子に電流を送らないようになっている。ここで、スイッチ部４９がＯＮのときに流れる一定の定電流は、図１１（ａ）に示すように、直流電流でもよいし、図１０（ｂ）に示すように一定間隔のパルスでもよい。
【００３０】
次に、有機ＥＬ素子に流す電流について以下に説明する。有機ＥＬ素子に流す電流は、Ｒ色、Ｇ色、Ｂ色の各色で同一にすることにより電流回路のコストダウンを計ることができる。また、同一にする電流値はどのような値でも良いが、以下に説明する電流値であれば好ましい。
【００３１】
図５は、各色の有機ＥＬ素子の電流Ｉと外部取出量子効率ｅの関係（ａ）、および各色の有機ＥＬ素子の電流Ｉと輝度Ｈとの関係（ｂ）を示す図である。詳しくは、図５（ａ）は、横軸は電流Ｉ（Ａ／ｍ２）、縦軸は外部取出量子効率ｅであり、図中で、電流Ｉａは燐光のＢ色（青）の外部取出量子効率が良い位置での値を示している。また、図５（ｂ）は、横軸は電流Ｉ（Ａ／ｍ２）、縦軸は輝度Ｈで、輝度ＨａＧは電流Ｉａに対するＧ色（緑）の値を示し、輝度ＨａＲは電流Ｉａに対するＲ色（赤）の値を示し、輝度ＨａＢは電流Ｉａに対する燐光のＢ色（青）の値をそれぞれ示している。また、図６は輝度階調補正方法の説明図であり、横軸は補正前のＢ色（青）、Ｇ色（緑）、Ｒ色（赤）のデジタルデータを示し、縦軸は補正後のＢ色（青）、Ｇ色（緑）、Ｒ色（赤）のデジタルデータを示している。
【００３２】
図５および図６に示すように、Ｂ色（青）の外部取出量子効率がＲ色、Ｇ色より高い位置での電流Ｉａを求め、電流Ｉａを一定にして、Ｒ色（赤）、Ｂ色（青）、Ｇ色（緑）の輝度ＨａＧ、輝度ＨａＲ、輝度ＨａＢを求める。
【００３３】
ここで、Ｂ色（青）を基準にして、Ｇ色（緑）、Ｒ色（赤）の輝度をそろえる場合について説明する。仮に、Ｂ色（青）の輝度ＨａＢを１００としたとき、Ｒ色（赤）の輝度ＨａＲがＨａＢの２倍である場合は、補正後の輝度を５０とするように発光輝度に対するデジタルデータ信号を補正することにより、Ｇ色（緑）についても同様に補正する。このことによりＢ色（青）、Ｇ色（緑）、Ｒ色（赤）の有機ＥＬ素子に同じ駆動電流Ｉａによる各色の発光輝度の差を補正できる。
【００３４】
次に、実施の形態の有機ＥＬディスプレイにおける階調表示について図７を参照して説明する。階調表示は有機ＥＬ素子が点灯している時間の違いにより階調を変化させるもである。図７は時分割により階調表示を行う際の駆動タイミングを示す図である。
【００３５】
ここで、一例として、６ビットのデジタル駆動により６４階調の表示を行う場合について説明する。図７（ａ）、（ｂ）に示すように、１フレームを構成するすべての画素に信号が書き込まれるのに要する時間を書込期間といい、書込みに対して画素表示が行われる期間を表示期間ということにすると、この書込期間では、有機ＥＬ素子の駆動電流を切り、画素内の有機ＥＬ素子に電圧がかからない状態にする。また、表示期間では有機ＥＬ素子の駆動電源を入れ、画素内の有機ＥＬ素子に電圧がかかる状態にして、画素が点灯データ信号が入力されると画素は点灯するようになる。
【００３６】
また、表示領域の画像が完全に表示される期間を１フレームと呼び、通常のＥＬディスプレイの発振周波数は６０Ｈｚであるので、１秒間には６０フレームが存在することになる。例えば、５番目の１フレームにおいて、６ビットのデジタル階調表示を行う場合、１フレームを１６分割して書込期間と表示期間の比率を６：１０に決めると、図７（ｂ）に示すように書込期間に６回の書き込みができるようになる。ここで、書込区間は走査線Ｌの順次走査によりすべての有機ＥＬ素子に信号線Ｋのデータをセットする時間であり、また、表示区間はスイッチをＯＮして有機ＥＬ素子に一定電流を送り発光させる時間である。
【００３７】
ここで、実施の形態１に係わる有機ＥＬディスプレイの作用について説明する。送られてきたデジタルデータを、Ｎビット（Ｎは２以上の整数で、例えば整数６）の階調で表示する時は、１フレームをＮビット階調に対応させたＭ個のフィールドに時間分割した制御信号を作成する。例えば、６回の書き込み順に書込１から書込６とすると、書込期間（書込１から書込６）に対応する表示期間をそれぞれ表示１から表示６となる。
【００３８】
また、表示期間については、例えば、表示１：表示２：表示３：表示４：表示５：表示６＝１：１／２：１／４：１／８：１／１６：１／３２となるように設定する。１書込期間（書込）と１表示期間（表示）をあわせて１フィールドという。実際のタイミングは、図７（ｂ）に示すように、表示期間の異なる６つのフィールドを分散させた組み合わせにする。表示１の期間、書込１のデータ信号に基づいて所定のＥＬ素子を点灯させると、次に書込２に入り、データ信号に基づいてＥＬ素子にデータ信号を入力したら表示２に入り、有機ＥＬ素子を点灯させる。同様にして、６つのフィールドで有機ＥＬ素子を点灯させる。この実施の形態１では、輝度（明るさ）の度合いは、表示１を点灯させた時を１００％とすると、表示６は１００／３２％となり、任意の組み合わせにより、デジタルデータに対応した階調表現が行えるようになる。従って、表示区間を適当に組み合わせることにより輝度を可変することができる。
【００３９】
（実施の形態２）
実施の形態２は、実施の形態１において定電流回路の駆動電流をＢ色（青）の外部取出量子効率が最大となる単位面積当たりの駆動電流の±２０％範囲内の電流値を使用したものである。実施の形態１と機構的に異なる部分を中心に説明する。実施の形態１における、各色の有機ＥＬ素子の輝度の変化させ方、有機ＥＬディスプレイの作用は前述の実施の形態１と同様につき省略する。
【００４０】
有機ＥＬディスプレイにおけるＲ色（赤）、Ｂ色（青）、Ｇ色（緑）の輝度差の補正方法について図８を参照して説明する。図８は有機ＥＬ素子の電流Ｉと外部取出量子効率ｅの関係、および、有機ＥＬ素子の電流Ｉと輝度Ｈとの関係を示している。詳しくは、図８（ａ）は横軸は電流Ｉ（Ａ／ｍ２）、縦軸は外部取出量子効率ｅで、図中で電流Ｉｂは燐光のＢ色（青）の外部取出量子効率が最大となる単位面積当たりの駆動電流の±２０％範囲の値を示している。図８（ｂ）は横軸は電流Ｉ（Ａ／ｍ２）、縦軸は輝度Ｈで、輝度ＨｂＧは電流Ｉｂに対するＧ色（緑）の値を示し、輝度ＨｂＲは電流Ｉｂに対するＲ色（赤）の値を示し、さらに輝度ＨｂＢは電流Ｉｂに対する燐光のＢ色（青）の値をそれぞれ示している。
【００４１】
図８に示すように、Ｂ色（青）の外部取出量子効率が外部取出量子効率が最大となる単位面積当たりの駆動電流の±２０％範囲内の電流Ｉｂを選び、電流Ｉｂを一定にして、Ｒ色（赤）、Ｂ色（青）、Ｇ色（緑）の輝度を求める。なお、実施の形態ではＢ色（青）の所定輝度は１００ｃｄ／ｍ２以上としている。
【００４２】
以上により、エネルギーの高い部分のＢ色の発光輝度に基づいて、Ｇ色、Ｒ色を補正するので、ディスプレイの寿命が延びるようになった。
【００４３】
なお、実施の形態１、実施の形態２では、Ｒ色（赤）、Ｇ色（緑）およびＢ色（青）の３種類の有機ＥＬ素子の発光面積を同じとしたが、有機ＥＬ素子の発光輝度に基づいて発光面積が異なるようにすることにより、各色間の見かけ上の発光輝度差を変化させることができる。例えば、他の色に比べ単位面積当たりの輝度が低いＢ色（青）の発光面積を、他の色の発光面積より大きくすることにより、見かけ上の輝度差を少なくすることができる。
【００４４】
また、実施の形態１、実施の形態２では有機ＥＬ素子のＧ色（緑）、Ｒ色（赤）については、蛍光に由来する発光、燐光に由来する発光のどちらでも良い。
【００４５】
【発明の効果】
以上のように構成したので下記のような効果を奏する。
【００４６】
請求項１、２に記載の発明によれば、Ｂ色（赤）の有機ＥＬ素子は燐光に由来する発光であって、Ｒ色（赤）、Ｇ色（緑）、Ｂ色（青）の３種類の有機ＥＬ素子の単位面積当たりの駆動電流を同じとするので、省電力のディスプレイとなり、各色が同じ駆動電流により制御回路の構成が簡単となり、制御回路の負荷が小さく、安価となった。
【００４７】
請求項３に記載の発明によれば、Ｂ色（赤）の有機ＥＬ素子は燐光に由来する発光であって、Ｂ色（青）の有機ＥＬ素子の外部取出量子効率が最大となる単位面積当たりの駆動電流の±２０％の範囲の駆動電流によって、Ｒ色（赤）、Ｇ色（緑）、Ｂ色（青）の３種類の有機ＥＬ素子の駆動を行うので、エネルギーの高い部分のＢ色の発光輝度に基づいて、Ｇ色、Ｒ色を補正するので、ディスプレイの寿命が延びるようになった。他の色に比べ発光輝度が低いＢ色（青）を効率よく発光させることができ、また、各色が同じ駆動電流により制御回路の構成が簡単となり、制御回路の負荷が小さく、また安価となった。
【００４８】
請求項４に記載の発明によれば、Ｒ色（赤）、Ｇ色（緑）およびＢ色（青）の３種類の有機ＥＬ素子は、各色の発光輝度に基づいて画像情報の階調補正を行うので、各色の階調補正が簡易になった。
【００４９】
請求項５に記載の発明によれば、Ｒ色（赤）、Ｇ色（緑）、Ｂ色（青）の３種類の有機ＥＬ素子は、各色の発光輝度に基づいて発光面積が異なるので、各色間の見かけ上の発光輝度を変化させることができる。例えば、他の色に比べ単位面積当たりの輝度が低いＢ色（青）の発光面積を、他の色の発光面積より大きくすることにより、見かけ上の輝度差を少なくすることができるようになった。
【００５０】
請求項６に記載の発明によれば、駆動電流は、所定間隔のパルス電流であるので、制御が簡単で、各色の輝度を変化させることができようになった。
【図面の簡単な説明】
【図１】実施の形態の有機ＥＬディスプレイを備えた携帯電話の斜視図である。
【図２】有機ＥＬディスプレイの画像を表示する表示部のブロック図である。
【図３】有機ＥＬ素子の駆動回路の模式図である。
【図４】図２の回路を示す図である。
【図５】有機ＥＬ素子における電流と外部取出量子効率の関係（ａ）、および、有機ＥＬ素子の電流と輝度の関係（ｂ）を示す図である。
【図６】輝度階調補正方法の説明図である。
【図７】時分割階調表示を行う際の書込期間と表示期間の駆動タイミング全体を示す図である。
【図８】他の有機ＥＬ素子における電流と外部取出量子効率の関係（ａ）、および、他の有機ＥＬ素子の電流と輝度の関係（ｂ）を示す図である。
【図９】従来の有機ＥＬディスプレイの画像を表示する表示部のブロック図である。
【図１０】有機ＥＬ素子の駆動波形の模式図である。
【図１１】Ｒ色（赤）、Ｂ色（青）、Ｇ色（緑）の有機ＥＬ素子における電流と外部取出量子効率の関係を示す図である。
【符号の説明】
１０  有機ディプレイ
３０  表示部
３１  有機ＥＬ素子
４１  補正手段
４６  データ駆動回路
４７  定電流回路
４８  走査駆動回路
Ｌ  走査線
Ｋ  データ線
Ａ  携帯電話
ｅ  外部取出量子効率
Ｉａ、Ｉｂ  駆動電流
【図１】
2004265755.tif 000003
【図２】
2004265755.tif 000004
【図３】
2004265755.tif 000005
【図４】
2004265755.tif 000006
【図５】
2004265755.tif 000007
【図６】
2004265755.tif 000008
【図７】
2004265755.tif 000009
【図８】
2004265755.tif 000010
【図９】
2004265755.tif 000011
【図１０】
2004265755.tif 000012
【図１１】
2004265755.tif 000013